(57)【要約】【課題】  便蓋先端を持ち上げる一般的な開動作により便蓋の表面が使用者側に向く従来と比べて身体的負担が少ない便蓋開閉装置を提供すること。【解決手段】  便蓋１０は、便蓋１０の裏面に設けられ便器の前後方向に延びるメインレール１１とサブレール１２とを備える。開閉機構２０は、便器後端を支点に便蓋１０の開閉動作と連動して回転するメインロッド２１と、メインロッド２１と相対回転するサブロッド２３と、メインレール１１にスライド可能に設けられメインロッド２１の端部と回動可能に連結するメインリンク２５と、サブレール１２にスライド可能に設けられサブロッド２３の端部と回動可能に連結するサブリンク２７と、便器後端の支点にメインロッド２１と相対回転可能に設けられるメインプーリ３０と、メインロッド２１の中間部の支点にサブロッド２３と一体で回転可能に設けられるサブプーリ３１と、メインプーリ３０とサブプーリ３１を掛架するベルト３２とから構成される。【選択図】  図１
2010194148.tif 000002
【特許請求の範囲】
【請求項１】
便蓋が開状態のときに前記便蓋の表面が使用者側に向くように動作する開閉機構を備える便蓋開閉装置であって、
前記便蓋は、前記便蓋の裏面に設けられ前記便器の前後方向に延びるメインレールと、前記メインレールと並行で前記便蓋の裏面に設けられ前記便器の前後方向に伸びるサブレールと、を備え、
前記開閉機構は、前記便器後端を支点に前記便蓋の開閉動作と連動して回転するメインロッドと、前記メインロッドの中間部を支点に前記メインロッドの回転に連動して前記メインロッドと相対回転するサブロッドと、前記メインレールにスライド可能に設けられ前記メインロッドの端部と回動可能に連結するメインリンクと、前記サブレールにスライド可能に設けられ前記サブロッドの端部と回動可能に連結するサブリンクと、前記便器後端の前記支点に前記メインロッドと相対回転可能に設けられるメインプーリと、前記メインロッドの中間部の前記支点に前記サブロッドと一体で回転可能に設けられるサブプーリと、前記メインプーリと前記サブプーリを掛架するベルトと、から構成されることを特徴とする便蓋開閉装置。
【請求項２】
前記メインロッドの中間部の支点から前記メインリンクのメインリンク連結部までの長さと前記メインリンク連結部から前記メインリンクの前記メインレールまでの長さの合計と、前記メインロッドの中間部の支点から前記サブリンクのサブリンク連結部までの長さと前記サブリンク連結部から前記サブリンクの前記サブレールまでの長さの合計と、は等しいことを特徴とする請求項１に記載の便蓋開閉装置。
【請求項３】
前記メインリンクの前記メインリンク連結部から前記メインレールまでの長さと、前記サブリンクの前記サブリンク連結部から前記サブレールまでの長さと、は異なることを特徴とする請求項２に記載の便蓋開閉装置。
【請求項４】
前記メインプーリの直径は、前記サブプーリの直径より大きいことを特徴とする請求項１乃至３のいずれか一項に記載の便蓋開閉装置。
【発明の詳細な説明】
【技術分野】
【０００１】
本発明は、便蓋が開状態のときに便蓋の表面が使用者側に向くように動作する開閉機構を備える便蓋開閉装置に関する。
【背景技術】
【０００２】
従来の洋式便器は、便器本体の後部に支持アームの基端を該支持アームが前後方向に揺動されるように枢着すると共に、同支持アームの先端に便蓋の裏側中程を枢着して、該便蓋を便器本体を閉じた状態と便器本体の後部にその裏面を後側にして起立した状態との間を範囲として回動されるよう支持アームを介して便器本体に連結支持する構成である（例えば、特許文献１参照。）。これにより、表面を前側にして起立した状態にある開けられた便蓋を、背もたれとして便利に且つ衛生的に利用することが出来る。
【０００３】
また、従来の便蓋装置は、便蓋と該便蓋の支持部材とを備えてなる便蓋装置において、該支持部材は、後端が便器後部上面部材に対し回動自在に連結され、前端が便蓋の側部に回動自在に連結されたアームより構成される（例えば、特許文献２参照。）。これにより、便蓋が常にその上面を便器前方に向けたまま回動し、起立状態時にあっても便蓋の上面が前方を向いているので、便座着座者が寄り掛かっても、便蓋の上面が便器着座者の背中に接触することになり、衛生的である。また、従来の便蓋装置は、便蓋と、便蓋の支持部材とを備え、該支持部材は、便器後部上面のロータンクカバーに上下方向に延設されたガイドレールと、該便蓋の後部に設けられており、該ガイドレールに沿って移動する移動部材とを備える。これにより、便蓋をガイドレールに沿ってスムーズに、常に便蓋の上面が便器前方を向くように便蓋を開閉させることが可能になる。
【先行技術文献】
【特許文献】
【０００４】
【特許文献１】特開平１１−１９７０６０号公報
【特許文献２】特開２００４−２２３０７３号公報
【発明の概要】
【発明が解決しようとする課題】
【０００５】
しかしながら、特許文献１の洋式便器では、使用者が、表面を前側にして便蓋を起立させ、背もたれとして利用出来ることに気づかずに、便蓋の裏面を前側にして起立させる通常の便蓋と同様に使用してしまい、背もたれとして利用できる特徴を生かせない可能性がある。また、便蓋の裏面を後側にして起立させる方法を知っている場合でも、便座先端を便座奥に押し込む動作が必要であり、腰を屈めた状態で体から離れた物を持つ姿勢を取らなければならず、身体的負担が大きくなる問題がある。
【０００６】
また、特許文献２の便蓋装置では、便蓋が上面を便器前方に向けたまま回動可能であることに気づかずに、便蓋の裏面を便器前方に向けたまま通常の便蓋と同様に使用してしまい、寄り掛かっても衛生的である特徴を生かせない可能性がある。また、便蓋の上面を便器前方に向けたまま回動可能であることを知っている場合でも、便器先端を便座奥に押し込む動作が必要であり、腰を屈めた状態で体から離れた物を持つ姿勢を取らなければならず、身体的負担が大きくなる。また、支持部材が便器後部上面のロータンクカバーに上下方向に延設されたガイドレールと、便蓋の後部に設けられており、ガイドレールに沿って移動する移動部材とを備える便蓋装置では、便蓋先端が持ち上がらない機構なので、一般的な開閉動作では開閉出来ない問題がある。
【０００７】
本発明は上記問題点に鑑みてなされたものであり、便蓋先端を持ち上げる一般的な開動作により便蓋の表面が使用者側に向く従来と比べて身体的負担が少ない便蓋開閉装置を提供することを目的とする。
【課題を解決するための手段】
【０００８】
本発明の第１の課題解決手段は、便蓋が開状態のときに前記便蓋の表面が使用者側に向くように動作する開閉機構を備える便蓋開閉装置であって、前記便蓋は、前記便蓋の裏面に設けられ前記便器の前後方向に延びるメインレールと、前記メインレールと並行で前記便蓋の裏面に設けられ前記便器の前後方向に伸びるサブレールと、を備え、前記開閉機構は、前記便器後端を支点に前記便蓋の開閉動作と連動して回転するメインロッドと、前記メインロッドの中間部を支点に前記メインロッドの回転に連動して前記メインロッドと相対回転するサブロッドと、前記メインレールにスライド可能に設けられ前記メインロッドの端部と回動可能に連結するメインリンクと、前記サブレールにスライド可能に設けられ前記サブロッドの端部と回動可能に連結するサブリンクと、前記便器後端の前記支点に前記メインロッドと相対回転可能に設けられるメインプーリと、前記メインロッドの中間部の前記支点に前記サブロッドと一体で回転可能に設けられるサブプーリと、前記メインプーリと前記サブプーリを掛架するベルトと、から構成される。
【０００９】
また、第２の課題解決手段は、前記メインロッドの中間部の支点から前記メインリンクのメインリンク連結部までの長さと前記メインリンク連結部から前記メインリンクの前記メインレールまでの長さの合計と、前記メインロッドの中間部の支点から前記サブリンクのサブリンク連結部までの長さと前記サブリンク連結部から前記サブリンクの前記サブレールまでの長さの合計と、は等しい構成である。
【００１０】
また、第３の課題解決手段は、前記メインリンクの前記メインリンク連結部から前記メインレールまでの長さと、前記サブリンクの前記サブリンク連結部から前記サブレールまでの長さと、は異なる構成である。
【００１１】
また、第４の課題解決手段は、前記メインプーリの直径は、前記サブプーリの直径より大きい構成である。
【発明の効果】
【００１２】
本発明では、便蓋は便蓋の裏面に設けられ便器の前後方向に延びるメインレールとメインレールと並行で便蓋の裏面に設けられ便器の前後方向に伸びるでサブレールとを備え、開閉機構は便器後端を支点に便蓋の開閉動作と連動して回転するメインロッドとメインロッドの中間部を支点にメインロッドの回転に連動してメインロッドと相対回転するサブロッドとメインレールにスライド可能に設けられメインロッドの端部と回動可能に連結するメインリンクとサブレールにスライド可能に設けられサブロッドの端部と回動可能に連結するサブリンクと便器後端の支点にメインロッドと相対回転可能に設けられるメインプーリとメインロッドの中間部の支点にサブロッドと一体で回転可能に設けられるサブプーリとメインプーリとサブプーリを掛架するベルトとから構成することで、便蓋先端を持ち上げる一般的な開動作により便蓋の表面が使用者側に向く動作が可能になり、従来と比べて身体的負担が少ない便蓋開閉装置を提供することができる。
【００１３】
また、メインロッドの中間部の支点からメインリンクのメインリンク連結部までの長さとメインリンク連結部からメインリンクのメインレールまでの長さの合計と、メインロッドの中間部の支点からサブリンクのサブリンク連結部までの長さとサブリンク連結部からサブリンクのサブレールまでの長さの合計と、を等しくすることで、便蓋の開閉動作時にメインロッドとサブロッドのが便器の前後方向にクロスして移動することが可能になる。
【００１４】
また、メインリンクのメインリンク連結部からメインレールまでの長さとサブリンクのサブリンク連結部からサブレールまでの長さとが異なるため、メインロッドとサブロッドがクロスする位置において、メインリンク連結部とサブリンク連結部の支点からの長さが異なるため、便蓋がメインリンク連結部又はサブリンク連結部を回動中心にして回動することを防止できる。
【００１５】
また、メインプーリの直径は、サブプーリの直径より大きいため、便蓋先端を持ち上げる開動作により便蓋の表面が使用者側に向く角度（起立した状態）を任意に調整可能である。例えば、メインロッドを９０度回転したときに便蓋の表面が使用者側に向いたほぼ垂直に起立した状態にするには、メインプーリの直径はサブプーリの直径の４倍になる。
【図面の簡単な説明】
【００１６】
【図１】本発明の便蓋開閉装置の斜視図である。
【図２】本発明の便蓋開閉装置の便蓋が閉状態の場合の側面図である。
【図３】本発明の便蓋開閉装置の動作態様を示す側面図である。
【図４】本発明の便蓋開閉装置の動作態様を示す側面図である。
【図５】本発明の便蓋開閉装置の動作態様を示す側面図である。
【図６】本発明の便蓋開閉装置の便蓋が開状態（起立した状態）の場合の側面図である。
【発明を実施するための形態】
【００１７】
以下に本発明の実施形態を図面を参照しつつ詳細に説明する。
【００１８】
図１は本発明の便蓋開閉装置１の斜視図である。本発明の便蓋開閉装置１は、便蓋１０と、便蓋１０の表面が使用者側に向くように動作する開閉機構２０から構成される。
【００１９】
便蓋１０は、便蓋１０の裏面に設けられ便器の前後方向に延びるメインレール１１と、メインレール１１と並行で便蓋１０の裏面に設けられ便器の前後方向に伸びる２本のサブレール１２から構成される。
【００２０】
開閉機構２０は、便器後端の便蓋回転軸２を支点に便蓋１０の開閉動作と連動して回転するメインロッド２１と、メインロッド２１の中間部の支点２２を支点にメインロッド２１の回転に連動してメインロッド２１と相対回転する２本のサブロッド２３と、メインレール１１にスライド可能に設けられメインロッド２１の端部のメインリンク連結部２４と回動可能に連結するメインリンク２５と、サブレール１２に夫々スライド可能に設けられサブロッド２３の端部のサブリンク連結部２６と回動可能に連結する２本のサブリンク２７と、便器後端の支点の便蓋回転軸２にメインロッド２１と相対回転可能に設けられる２つのメインプーリ３０と、メインロッド２１の中間部の支点２２にサブロッド２３と一体で回転可能に設けられる２つのサブプーリ３１と、メインプーリ３０とサブプーリ３１を掛架する２本のベルト３２から構成される。夫々のベルト３２はテンションプーリ３３により一定の張力に保持される。
【００２１】
本発明の便蓋開閉装置１の作動を図２〜図６を用いて説明する。
【００２２】
図２は本発明の便蓋開閉装置１の便蓋１０が閉状態の場合の側面図である。図６は、本発明の便蓋開閉装置１の便蓋１０が開状態（起立した状態）の場合の側面図である。図２から図６の状態になるまでに、図３〜図５の動作態様を順次経る。図１と同一の部品・部位については、同一の符番・符号を用いて説明する。
【００２３】
図２は図示しない便器に便蓋１０が覆い被さっている状態である。この状態で使用者が便蓋１０の先端を図２の上方に持ち上げる一般的な便蓋１０の開動作を行うと、メインロッド２１は便蓋回転軸２を支点に上方に回転する。このときメインプーリ３０に掛架されたベルト３２は、メインロッド２１の回転に伴ってベルト３２のメインプーリ３０との接点にあるＡ点は、サブプーリ３１側へと移動する。
【００２４】
図３では、ベルト３２のＡ点がサブプーリ３１側へ移動した分、サブプーリ３１は図３の反時計方向に回転する。メインプーリ３０の直径は、サブプーリ３１の直径の４倍であるため、サブプーリ３１はメインプーリ３０の４倍の角度回転する。よってメインロッド２１とサブロッド２３で形成される角度αは小さくなり、メインリンク２５とサブリンク２７がメインレール１１とサブレール１２をそれぞれスライドする。ことのき便蓋１０は水平状態から便蓋１０の先端を中心に図３の反時計方向に回転する。
【００２５】
図４は、ベルト３２のＡ点がさらにサブプーリ３１側へと移動してメインロッド２１とサブロッド２３がクロスする状態である。メインロッド２１の中間部の支点２２からメインリンク連結部２４までの長さＬ１とメインリンク連結部２４からメインリンク２５のメインレール１１までの長さＬ２の合計（Ｌ１＋Ｌ２）は、メインロッド２１の中間部の支点２２からサブリンク２７のサブリンク連結部２６までの長さＬ３とサブリンク連結部２６からサブリンク２７のサブレール１２までの長さＬ４の合計（Ｌ３＋Ｌ４）と等しいため、メインリンク２５とサブリンク２７は、便蓋１０のメインレール１１とサブレール１２をクロスすることが可能になる。このとき、メインリンク２５のメインリンク連結部２４からメインレール１１までの長さＬ２と、サブリンク２７のサブリンク連結部２６からサブレール１２までの長さＬ４は異なるため、メインロッド２１とサブロッド２３がクロスした時に便蓋１０を所定の角度に保持できる。
【００２６】
図５は、メインロッド２１とサブロッド２３がクロスして便蓋１０の表面が使用者側に向いた状態である。ベルト３２のＡ点はさらにサブプーリ３１側へと移動して、サブプーリ３１は反時計方向に回転する。メインプーリ３０の内部にはメインロッド２１を図５の時計方向に付勢する図示しないバネ部材が設けられており、使用者が開動作を行わなくてもバネ部材の弾性力によりメインロッド２１は便蓋回転軸２を支点に時計方向に回転する構成である。
【００２７】
図６は、便蓋開閉装置１の便蓋１０が開状態（起立した状態）の場合の側面図である。ベルト３２のＡ点は図５よりさらにサブプーリ３１側へと移動して、サブプーリ３１を支点２２を中心に反時計方向に回転する。便蓋１０の表面は使用者側に向いて、ほぼ垂直に近い状態になる。
【００２８】
本発明では、便蓋１０の先端を持ち上げる一般的な開動作により便蓋１０の表面が使用者側に向く従来と比べて身体的負担が少ない便蓋開閉装置１を提供することができる。
【００２９】
また、メインロッド２１の中間部の支点２２からメインリンク２５のメインリンク連結部２４までの長さＬ１とメインリンク連結部からメインリンクのメインレールまでの長さＬ２の合計（Ｌ１＋Ｌ２）と、メインロッド２１の中間部の支点２２からサブリンク２７のサブリンク連結部２６までの長さＬ３とサブリンク連結部２６からサブリンク２７のサブレール１２までの長さＬ４の合計（Ｌ３＋Ｌ４）と、を等しくすることで、便蓋１０の開閉動作時にメインロッド２１とサブロッド２３のが便器の前後方向にクロスして移動することが可能になる。
【００３０】
また、メインリンク２５のメインリンク連結部２４からメインレール１１までの長さＬ２とサブリンク２７のサブリンク連結部２６からサブレール１２までの長さＬ４が異なるため、メインロッド２１とサブロッド２３がクロスする位置（図４）において、メインリンク連結部２４とサブリンク連結部２６の支点２２からの長さが夫々異なるため、便蓋１０がメインリンク連結部２４又はサブリンク連結部２６を回動中心にして回動することを防止できる。
【００３１】
また、メインプーリ３０の直径をサブプーリ３１の直径の４倍にすることで、メインロッド２１を便蓋回転軸２を支点に９０度回転した場合、便蓋１０の表面が使用者側に向いたほぼ垂直に起立した状態にできる。
【符号の説明】
【００３２】
１  便蓋開閉装置
１０  便蓋
１１  メインレール
１２  サブレール
２０  開閉機構
２１  メインロッド
２２  支点
２３  サブロッド
２４  メインリンク連結部
２５  メインリンク
２６  サブリンク連結部
２７  サブリンク
３０  メインプーリ
３１  サブプーリ
３２  ベルト
【図１】
2010194148.tif 000003
【図２】
2010194148.tif 000004
【図３】
2010194148.tif 000005
【図４】
2010194148.tif 000006
【図５】
2010194148.tif 000007
【図６】
2010194148.tif 000008